(57)【要約】【課題】本発明は、建物の入館管理システムと連動して乗籠を手配する際にドア装置の開放時間を選択することができるエレベータを提供する。【解決手段】エレベータ１は、入館管理システム５０と接続されて乗籠１３および籠ドア装置１５の動作を制御するエレベータセキュリティシステム２０を備える。エレベータセキュリティシステム２０は、不登録制御部２１と、自動登録制御部２２と、開放時間判定部２３と、開放時間指示部２４とを有する。自動登録制御部２２は、解錠信号Ｓ１を検出し、入口階１０１へ乗籠１３を移動させるための乗場呼び信号を出力する。開放時間判定部２３は、解錠信号Ｓ１に前後して入力される付加信号Ｓ２を検出する。開放時間指示部２４は、開放時間判定部２３で付加信号Ｓ２を検出した場合、籠ドア装置１５を入口階１０１で開放させる時間を長くするための開放時間制御信号を出力する。【選択図】      図１
2010208707.tif 000002
【特許請求の範囲】
【請求項１】
予め登録されている個人認証情報を建物の入口に用意された入口側操作盤から入力するか解錠信号を前記建物の各居室内に用意された居室側操作部から入力することによって前記建物の入口ドア装置を解錠させる入館管理システムが装備された建物に設置されるエレベータであって、
前記入館管理システムと接続されて乗籠および籠ドア装置の動作を制御するエレベータセキュリティシステムを備え、
このエレベータセキュリティシステムは、
前記建物の入口階のエレベータホールに設けられた乗場呼びボタンを無効化する不登録制御部と、
前記居室側操作部から入力された解錠信号を検出し前記入口階へ前記乗籠を移動させるための乗場呼び信号を出力する自動登録制御部と、
前記解錠信号に前後して入力される付加信号を検出する開放時間判定部と、
前記開放時間判定部で前記付加信号を検出した場合、前記入口階で前記籠ドア装置を開放させる時間を、前記付加信号を検出しなかった場合に設定される第１の開放時間よりも長い、第２の開放時間にするための開放時間制御信号を出力する開放時間指示部と
を有することを特徴とするエレベータ。
【請求項２】
前記付加信号は、前記解錠信号が入力された後の一定時間以内に前記入口側操作盤から入力されることを特徴とする請求項１に記載のエレベータ。
【請求項３】
前記付加信号は、前記個人認証情報または前記居室番号を入力するために前記入口側操作盤に設けられたボタンを利用して入力されることを特徴とする請求項２に記載のエレベータ。
【請求項４】
前記付加信号は、前記解錠信号が入力された後の一定時間以内に前記居室側操作部から入力されることを特徴とする請求項１に記載のエレベータ。
【請求項５】
前記付加信号は、前記居室側操作部に設けられたボタンを利用して入力されることを特徴とする請求項４に記載のエレベータ。
【請求項６】
前記エレベータセキュリティシステムは、
前記解錠信号が入力された後に前記入口階で前記籠ドア装置が開放されたことを検出し、前記解錠信号を入力した居室がある階を行先階として自動登録する行先階自動登録部をさらに備えることを特徴とする請求項１に記載のエレベータ。
【請求項７】
前記行先階自動登録部は、前記開放時間制御信号を検出した場合に前記解錠信号を入力した居室がある階における前記籠ドア装置の開放時間を前記第２の開放時間に設定することを特徴とする請求項６に記載のエレベータ。
【請求項８】
前記エレベータセキュリティシステムは、
前記入口階における前記籠ドア装置の開放時間が前記第２の開放時間に設定されたことを報知する報知部をさらに備えることを特徴とする請求項１に記載のエレベータ。
【請求項９】
前記報知部は、前記入口側操作盤またはその周辺に配置される表示器に前記籠ドア装置の開放時間が前記第２の開放時間に設定されたことを表示することを特徴とする請求項８に記載のエレベータ。
【請求項１０】
前記報知部は、前記居室側操作部に設けられる表示部に前記籠ドア装置の開放時間が前記第２の開放時間に設定されたことを表示することを特徴とする請求項８に記載のエレベータ。
【請求項１１】
前記第２の開放時間は、前記付加信号を入力する手順によって、複数段階に変更できることを特徴とする請求項１から請求項５のいずれか１項に記載のエレベータ。
【発明の詳細な説明】
【技術分野】
【０００１】
本発明は、建物の入館管理システムと連動するエレベータに関する。
【背景技術】
【０００２】
建物の入館管理システムと連動しているエレベータは、建物の居住者ごとにエレベータのドアの開放時間を予め設定登録することができる。例えば、車椅子を利用する居住者に対しては、ドアの開放時間が通常よりも長くなるように設定する。そして、個人認証情報を備える解錠キーによって入館することで、エレベータのドアをその設定条件に応じた開放時間にする。
【０００３】
建物の入口の個人認証装置と連動してエレベータが特許文献１に記載されている。このエレベータは、入口で認証が行われると乗籠を入口階のエレベータ乗場に自動で呼び出す。このエレベータは、建物に住む居住者ごとにその居住者が入口からエレベータ乗場まで移動するのに最低限必要とする移動時間を予め設定されている。したがって、エレベータは、認証を行った利用者がその建物に住む居住者である場合、居住者が認証操作を行った後に出力される籠呼び制御信号を受けてからその居住者に応じた移動時間が経過すると、行先階の登録（籠呼び登録）を自動で行う。
【０００４】
また、特許文献１のエレベータは、複数の居住者が連続して認証を行った場合、後から行われた認証に基づく籠呼び制御信号を受けてから利用者の移動時間を経過した後に、乗車検出手段が居住者が乗車したことを検出し、行先階の登録を行う。後から認証を行った居住者が乗籠に到達するまで行先階の登録を保留することで、後から認証を行った居住者が乗籠に乗り遅れることを防止する。
【０００５】
特許文献１に記載されたエレベータの場合、来訪者に対しては、訪問先の居住者が解錠操作をすることで、その居住者が帰宅したときと同じ動作をさせる。
【先行技術文献】
【特許文献】
【０００６】
【特許文献１】特開２００６−３０６５５７号公報
【発明の概要】
【発明が解決しようとする課題】
【０００７】
しかしながら、来訪者は、必ずしも訪問先の居住者と同じ移動時間で入口からエレベータ乗場まで移動できるとは限らない。特許文献１に記載されたエレベータは、自動で乗籠を呼び、予め設定されている移動時間を経過すると自動で行先階を登録し、ドアを閉じて出発してしまう。そのため、居住者であっても脚にけがをしている場合、来訪者が車椅子を利用する場合、あるいは来訪者が脚力の衰えた高齢者である場合など、入口からエレベータ乗場まで移動するのに時間がかかってしまう場合、乗籠に乗り損ねる可能性がある。
【０００８】
一般的にエレベータ乗場には、車椅子利用者のための乗場呼びボタンが設けられており、このボタンを押すことでドアの開放時間を通常よりも長く設定することができる。しかし、特許文献１に記載されたエレベータの場合、乗籠のドアの開放時間が通常よりも長く設定されている乗場呼びを、そのときの状況に応じて利用者が不規則に選択したくても、選択できない。
【０００９】
そこで、本発明は、建物の入館管理システムと連動して乗籠を手配する際にドア装置の開放時間を選択することができるエレベータを提供する。
【課題を解決するための手段】
【００１０】
本発明に係るエレベータは、入館管理システムが装備された建物に設置されることを前提とする。入館管理システムは、予め登録されている個人認証情報を建物の入口に用意された入口側操作盤から入力するか解錠信号を建物の各居室内に用意された居室側操作部から入力することによって建物の入口ドア装置を解錠させる。そして、このエレベータは、入館管理システムと接続されて乗籠および籠ドア装置の動作を制御するエレベータセキュリティシステムを備える。
【００１１】
このエレベータセキュリティシステムは、不登録制御部と、自動登録制御部と、開放時間判定部と、開放時間指示部とを有する。不登録制御部は、建物の入口階のエレベータホールに設けられた乗場呼びボタンを無効化する。自動登録制御部は、居室側操作部から入力された解錠信号を検出し、入口階へ乗籠を移動させるための乗場呼び信号を出力する。開放時間判定部は、解錠信号に前後して入力される付加信号を検出する。開放時間指示部は、開放時間判定部で付加信号を検出した場合、開放時間制御信号を出力する。開放時間制御信号は、入口階で前記籠ドア装置を開放させる時間を、付加信号を検出しなかった場合に設定される第１の開放時間よりも長い、第２の開放時間にするために出力される。
【００１２】
この場合、付加信号は、解錠信号が入力された後の一定時間以内に入口側操作盤から入力する。付加信号は、個人認証情報または居室番号を入力するために入口側操作盤に設けられたボタンを利用して入力する。または、付加信号は、解錠信号が入力された後の一定時間以内に居室側操作部から入力する。付加信号は、居室側操作部に設けられたボタンを利用して入力する。第２の開放時間は、付加信号を入力する手順によって、複数段階に変更できるようにしても良い。
【００１３】
また、エレベータセキュリティシステムは、行先階自動登録部をさらに備えても良い。行先階自動登録部は、解錠信号が入力された後に入口階で籠ドア装置が開放されたことを検出し、解錠信号を入力した居室がある階を行先階として自動登録する。この場合、行先階自動登録部は、開放時間制御信号を検出した場合に、解錠信号を入力した居室がある階における籠ドア装置の開放時間を第２の開放時間に設定する。
【００１４】
または、エレベータセキュリティシステムは、報知部をさらに備える。報知部は、入口階における籠ドア装置の開放時間が第２の開放時間に設定されたことを報知する。この場合、報知部は、入口側操作盤またはその周辺に配置される表示装置に、籠ドア装置の開放時間が第２の開放時間に設定されたことを表示する。または、報知部は、居室側操作部に設けられる表示部に、籠ドア装置の開放時間が第２の開放時間に設定されたことを表示する。
【発明の効果】
【００１５】
本発明のエレベータによれば、建物の入館管理システムと連動して乗籠を手配する際に、そのときの状況に応じて、ドア装置の開放時間を選択することができる。したがって、来訪者に応じて通常よりも長くドア装置を開放しておく必要がある場合に開放時間の長い条件を選択することで、来訪者があわてることなくエレベータを安全に利用できる。
【図面の簡単な説明】
【００１６】
【図１】本発明の第１の実施形態のエレベータの全体構成を示すブロック図。
【図２】図１に示したエレベータが設置された建物の入口に用意される入館管理システムの入口側操作盤の正面図。
【図３】図１に示したエレベータが設置された建物の各部屋に用意される入館管理システムの居室側操作部の正面図。
【図４】図１に示したエレベータのエレベータセキュリティシステムと入館管理システムおよびエレベータ制御装置との関係を示すブロック図。
【図５】本発明の第２の実施形態のエレベータのエレベータセキュリティシステムと入館管理システムおよびエレベータ制御装置との関係を示すブロック図。
【図６】本発明の第３の実施形態のエレベータのエレベータセキュリティシステムと入館管理システムおよびエレベータ制御装置との関係を示すブロック図。
【発明を実施するための形態】
【００１７】
本発明の第１の実施形態のエレベータ１は、図１から図４を参照して説明する。図１に示すエレベータ１は、入館管理システム５０を装備している建物１００に設置される。
【００１８】
まず、入館管理システム５０の基本的な構成および機能について説明する。入館管理システム５０は、図１に示すように施錠／解錠装置５１、個人認証装置５２、入口側操作盤５３、居室側操作部５４を備えている。施錠／解錠装置５１は、建物１００の入口階１０１に設けられた入口ドア装置１０２を常時施錠している。個人認証装置５２は、この建物１００に住むすべての居住者Ｐ１の個人認証情報が予め登録されている。個人認証装置５２は、施錠／解錠装置５１を解錠するために入力された情報を個人認証情報と比較し、一致するものが登録されていた場合に、施錠／解錠装置５１へ解錠信号Ｓ１を出力する。
【００１９】
入口側操作盤５３は、入口ドア装置１０２の外側に配置されている。入口側操作盤５３は、図２に示すように、番号キー５３１、カメラ５３２、表示部５３３、鍵挿入孔５３４、呼出ボタン５３５、キャンセルボタン５３６などを備えている。番号キー５３１は、個人認証情報や訪問先の住居番号などを入力するために設けられている。カメラ５３２は、入力操作をする人の姿を撮影する。カメラ５３２で撮影された映像は、管理人室の居室側操作部、あるいは住居番号が入力された居室１０３の居室側操作部５４に表示される。表示部５３３は、番号キー５３１で入力した情報などを表示する。鍵挿入孔５３４は、この建物１００に住む居住者の全員が持っている居室１０３の鍵を挿入することができる。居住者Ｐ１が持っている鍵を挿して回すことで、入口ドア装置１０２の施錠／解錠装置５１を解錠させることができる。
【００２０】
居室側操作部５４は、建物１００の各居室１０３内に設置されており、図３に示すように表示装置５４１と解錠ボタン５４２と通話機５４３とを備える。入口側操作盤５３において住居番号が入力されるとその居室１０３の居室側操作部５４は、入口側操作盤５３に一対一に接続される。表示装置５４１は、入口側操作盤５３のカメラ５３２で撮影された映像を映し出す。解錠ボタン５４２は、居室側操作部５４が入口側操作盤５３に接続されている間に操作されることで、施錠／解錠装置５１へ解錠指示信号を出力する。通話機５４３は、居室側操作部５４が入口側操作盤５３に接続されている間、入口側操作盤５３に設けられるスピーカおよびマイクロフォンに接続される。
【００２１】
次に、エレベータ１について説明する。図１に示すように、エレベータ１は、エレベータ制御装置１１、巻上機１２、乗籠１３、釣合錘１４、籠ドア装置１５、乗場ドア装置１６、乗場呼びボタン１７Ａ，１７Ｂ、エレベータセキュリティシステム２０を備える。この明細書中において「乗場呼び」とは、エレベータホールに設けられる操作ボタンから入力された信号によって乗籠１３をそのエレベータホールに移動させるための動作、行為、および制御に関する。また「籠呼び」とは、乗籠１３の中に設けられる操作ボタンから入力された信号によって乗籠１３を行先階へ移動させるための動作、行為、および制御に関する。
【００２２】
建物１００の各階のエレベータホールに設けられる乗場呼びボタン１７Ａ，１７Ｂから乗場呼び信号が入力されると、エレベータ制御装置１１は、巻上機１２を駆動させて、信号が入力されたエレベータホールの階に乗籠１３を移動させる。乗籠１３が着床すると、エレベータ制御装置１１は、籠ドア装置１５を開放させる。また、乗籠１３の中に設けられる行先階ボタンから籠呼び信号が入力されると、エレベータ制御装置１１は、巻上機１２を駆動させ、指定された行先階へ乗籠１３を移動させる。乗籠１３が行先階に着床すると、エレベータ制御装置１１は、籠ドア装置１５を開放させる。乗場ドア装置１６は、その階に乗籠１３が着床している間、籠ドア装置１５と連動して開閉される。
【００２３】
入口階１０１のエレベータホールに設けられる乗場呼びボタン１７Ａ，１７Ｂは、エレベータセキュリティシステム２０を介してエレベータ制御装置１１に接続されている。なお、エレベータ１は、この他に安全装置である非常停止装置やガバナー、乗籠１３および釣合錘１４をそれぞれ案内するレールなど、エレベータ１の運行に必要なもの全てを備える。
【００２４】
エレベータセキュリティシステム２０は、図１に示すように、入館管理システム５０とエレベータ制御装置１１との間に接続されている。エレベータセキュリティシステム２０は、入館管理システム５０から得られる信号を基に乗籠１３および籠ドア装置１５の動作を制御する。このエレベータセキュリティシステム２０は、図４に示すように、不登録制御部２１と、自動登録制御部２２と、開放時間判定部２３と、開放時間指示部２４とを有している。
【００２５】
不登録制御部２１は、入口ドア装置１０２が解錠されている間に入ってきた不法侵入者にエレベータ１を利用させないために、解錠信号Ｓ１を検出するか入口ドア装置１０２が解錠されたことを検出したあと、入口ドア装置１０２が再び施錠されてからしばらく時間が経過するまで、入口階１０１の乗場呼びボタン１７Ａ，１７Ｂを無効化する。自動登録制御部２２は、少なくとも居室側操作部５４から入力された解錠信号Ｓ１を検出し、入口階１０１へ乗籠１３を移動させるための乗場呼び信号をエレベータ制御装置１１へ出力する。
【００２６】
開放時間判定部２３は、解錠信号Ｓ１に前後して入力される付加信号Ｓ２を検出する。つまり、付加信号Ｓ２は、解錠信号Ｓ１を入力する直前、もしくは、解錠信号Ｓ１に続けて、入口側操作盤５３または居室側操作部５４から入力される。
【００２７】
図２に示す入口側操作盤５３から付加信号Ｓ２を入力する場合は、番号キー５３１、呼出ボタン５３５、キャンセルボタン５３６を使用して入力する。なお、図２に示すように付加信号を入力するための付加ボタン５３７を専用に設けても良い。入力方法は、１つのボタンのみを使用するか、複数のボタンを続けて操作するか、どちらでも良い。
【００２８】
図３に示す居室側操作部５４から付加信号Ｓ２を入力する場合は、解錠ボタン５４２を使用して入力する。したがってこの場合、付加信号Ｓ２は、解錠ボタン５４２を複数回押すか解錠ボタン５４２を数秒間押し続けるかすることによって、解錠ボタン５４２を押したことによって発生する解錠信号Ｓ１とは別に付加信号Ｓ２が発生するように設定される。なお、入口側操作盤５３と同様に、図３に示す付加ボタン５４４を専用に設けても良い。付加ボタン５４４を設ける場合は、付加ボタン５４４を解錠ボタン５４２の前に押しても後に押してもかまわない。居室側操作部５４の表示装置５４１にタッチスクリーンの機能を備えている場合は、表示装置５４１に表示された画像に従って入力するようにすることもできる。
【００２９】
開放時間指示部２４は、開放時間判定部２３において付加信号Ｓ２が検出された場合に開放時間制御信号をエレベータ制御装置１１へ出力する。開放時間制御信号は、入口階１０１で籠ドア装置１５を開放させる時間を、付加信号Ｓ２を検出しなかった場合に設定される第１の開放時間よりも長い、第２の開放時間に設定するために出力される。ここで、第１の開放時間とは、いわゆる一般的な健常者が乗籠１３に乗車することを想定して設定される開放時間である。第２の開放時間とは、たとえば車椅子を利用する者が乗籠１３に乗車する場合を想定して設定される開放時間である。したがって、籠ドア装置１５の開放時間として第１の開放時間を選択する場合を「一般呼び」、第２の開放時間を選択する場合を「車椅子呼び」と言うこともある。
【００３０】
以上のように構成されたエレベータ１は、建物１００に住む居住者Ｐ１のところに外から来訪者Ｐ２が来た場合、以下の手順で操作され、動作する。
【００３１】
来訪者Ｐ２が訪問先の住居番号を入口側操作盤５３の番号キー５３１で入力し、その後に続いて呼出ボタン５３５を操作することで、入力した住居番号の居室１０３の居室側操作部５４に入口側操作盤５３が接続される。入口側操作盤５３および居室側操作部５４のインターホン機能で通話中に、居住者Ｐ１が居室側操作部５４の解錠ボタン５４２を操作すると、解錠信号Ｓ１が出力される。
【００３２】
この解錠信号Ｓ１が出力されることによって、入口ドア装置１０２が解錠されて開かれるとともに、自動登録制御部２２からエレベータ制御装置１１に乗場呼び信号が出力される。このとき来訪者Ｐ２が一定時間以内に番号キー５３１のどれかを押下することによって、付加信号Ｓ２が出力される。付加信号Ｓ２は、開放時間判定部２３に検出されるので、開放時間指示部２４から開放時間制御信号が出力される。エレベータ制御装置１１は、入口階１０１における籠ドア装置１５の開放時間を、一般の開放時間である第１の開放時間よりも長いいわゆる「車椅子呼び」の開放時間として認識し、第２の開放時間に設定する。これにより、乗籠１３が入口階１０１に到着すると、籠ドア装置１５は、一般の開放時間よりも長い第２の開放時間の間、開かれているので、乗籠１３の乗り降りに十分な時間が確保される。したがって、車椅子利用者や、歩調が緩慢な高齢者であっても、あわてることなく、安心して乗籠１３に乗ることができる。
【００３３】
付加信号Ｓ２を入力する場合、番号キー５３１の中で普段あまり使用しないキー、例えば「＊」キーや「＃」キーなどの記号キーを使用しても良いし、キャンセルボタン５３６を用いてもよい。また、任意の数字を入力しても良いし、呼出ボタン５３５を用いてもよい。任意の数字を入力する場合は、その数字の大きさに応じて、第２の開放時間の長さを設定できるようにしても良い。また、呼出ボタン５３５や、「＊」，「＃」などの記号キーを用いる場合は、これらを押下する回数に応じて第２の開放時間の長さをさらに設定できるようにすることも可能である。付加信号Ｓ２を入力するために図２に示す付加ボタン５３７を設けている場合は、これを押下すればよい。
【００３４】
使用するボタンがいずれの場合にも、どのボタンをどのように操作すればよいかについての説明を入口側操作盤５３に表示しておけばよい。このとき、解錠信号Ｓ１が出力されたことにともなって、入口側操作盤５３のインターホン機能を利用し、第２の開放時間を選択する操作方法や入力を受け付ける有効時間を音声ガイダンスで流したり、操作すべきボタンを明滅させたりしてもよい。
【００３５】
以上のように、このエレベータ１は、入口階１０１における籠ドア装置１５および乗場ドア装置１６の開放時間を、入館管理システム５０の入口側操作盤５３に既に設けられている番号キー５３１、呼出ボタン５３５、キャンセルボタン５３６、および居室側操作部５４に既に設けられている解錠ボタン５４２を使って選択することができる。つまり、来訪者の状況に応じてドアの開放時間を長くすることができるので、安心して乗り込むことができる。専用のボタンを設けなくても良いので、既設のエレベータに新たな機能として加えることによって、このエレベータ１にすることができる。付加ボタン５３７，５４４を設けていると、居住者Ｐ１および来訪者Ｐ２ともに操作しやすい。
【００３６】
入口側操作盤５３からエレベータ１の乗場ドア装置１６までの距離が近い場合、入口階１０１の乗場呼びが自動登録された後でも、車椅子利用者用に設けられている乗場呼びボタン１７Ｂを来訪者Ｐ２が自ら押すことで、第２の開放時間を選択できるようにしても良い。
【００３７】
ただしこの場合、不登録制御部２１は、解錠信号Ｓ１が出力された後、乗籠１３が入口階１０１を出発するまで、乗場呼びボタン１７Ａ，１７Ｂを無効化している。したがって、この間一時的に乗場呼びボタン１７Ｂが不登録制御部２１によって無効化されないようにするか、乗場呼びボタン１７Ｂから入力された信号を付加信号Ｓ２として検出する必要がある。乗場呼びボタン１７Ｂを使用できるようにすることで、従来のエレベータと操作性を変えることなく、本発明のエレベータ１の機能を追加導入することができる。
【００３８】
なお、解錠信号Ｓ１が出力された後、来訪者Ｐ２によって入口側操作盤５３の番号キー５３１あるいは乗場呼びボタン１７Ｂを操作することのできる期間を一定の時間に制限しないことも可能である。この場合、籠ドア装置１５が乗場ドア装置１６とともに開かれるまでに番号キー５３１または乗場呼びボタン１７Ｂが操作された場合、ドアの開放時間は第２の開放時間に設定し、操作されなかった場合、ドアの開放時間は一般呼びである第１の開放時間に設定する。
【００３９】
また、第２の開放時間を選択する操作をした後で、第１の開放時間に戻したい場合、例えば、キャンセルボタン５３６を押す、あるいは規定の操作に加えてさらに不要なボタンを押すことによって全ての入力をエラーにしてしまうことで、第２の開放時間を選択したことを解除できるようにする。このようにすることで、第２の開放時間を任意に設定できるようにしている場合、設定した値を一旦取り消し、再度入力し直すことができる。
【００４０】
付加信号Ｓ２を入力するタイミングを解除信号Ｓ１が出力される前にする場合、入口側操作盤５３と居室側操作部５４との間でインターホンによる通話中に付加信号を出力させるための操作を来訪者Ｐ２に入口側操作盤５３からしてもらい、その後で、解錠ボタン５４２を操作するようにすれば良い。来訪者Ｐ２は、訪問先の居住者Ｐ１によって解錠ボタン５４２が操作される前に、第２の開放時間にする操作を完了し、入口ドア装置１０２に向き直って体勢を整えることができる。
【００４１】
本発明の第２の実施形態のエレベータ１は、図５を参照して説明する。このエレベータ１において、エレベータセキュリティシステム２０に行先階自動登録部を備えている点が、第１の実施形態のエレベータ１と異なっている。それ以外のエレベータ１および入館管理システム５０の基本的な構成は、第１の実施形態と同じであるので、詳細については、図１から図３およびこれに対応する説明を参酌する。図５中において、第１の実施形態のエレベータ１と同じ機能を有する構成は、第１の実施形態のエレベータ１と同一の符号を付してここでの説明を省略する。
【００４２】
エレベータセキュリティシステム２０の行先階自動登録部２５は、解錠信号Ｓ１が入力された後に、入口階１０１で籠ドア装置１５が開放されたことを検出し、解錠信号Ｓ１を入力した居室１０３がある階を行先階として自動登録するための制御信号を、エレベータ制御装置へ出力する。なお、行先階自動登録部２５は、籠ドア装置１５が開放されたことを検出する代わりに、これと連動する入口階１０１の乗場ドア装置１６が開放されたことを検出するようにしても良い。籠ドア装置１５が開放されたことを検出することは、エレベータ制御装置１１において籠ドア装置１５を開放させるための制御信号が出力されたことを検出することで置き換えることができる。
【００４３】
また、入口側操作盤５３または居室側操作部５４から付加信号Ｓ２が入力され、開放時間指示部２４から開放時間制御信号が出力された場合、行先階自動登録部２５は、これを検出して解錠信号を入力した居室１０３がある階における籠ドア装置１５の開放時間を第２の開放時間に設定する。乗籠１３から降りるときにも乗るときと同じ時間だけ、籠ドア装置１５を開放させることで、来訪者Ｐ２は、あわてることなく安心して乗籠から下りることができる。
【００４４】
本発明の第３の実施形態のエレベータ１は、図１〜３および図６を参照して説明する。このエレベータ１は、図１および図６に示すように、報知部２６を備えている。報知部２６は、エレベータセキュリティシステム２０の開放時間指示部２４から出力される開放時間制御信号を検出することによって、入口階１０１における籠ドア装置１５の開放時間が第２の開放時間に設定されたことを報知する。報知部２６は、図１に示すように入口側操作盤５３またはその周辺に表示器として配置され、来訪者Ｐ２に対して籠ドア装置１５のドアの開放時間が第２の開放時間に設定されたことを報知する。
【００４５】
図１に示すように、報知部２６を入口側操作盤５３の周辺に別途設ける場合、第２の開放時間に設定されたことを示す図または文字による表示に加え、音声ガイダンスや音を出力するようにする。また、報知部２６を入口側操作盤５３に設ける場合、図２に示す付加ボタン５３７に内蔵されるランプとして配置し、付加ボタン５３７を操作した後、第２の開放時間に設定された場合に入口ドア装置１０２が閉じられるまでの間、点灯または明滅させる。さらに、入口側操作盤５３のインターホン機能を活用して、音声ガイダンスを流しても良い。
【００４６】
付加ボタン５３７が設けられない場合でも、報知部２６として、図２に示す付加ボタン５３７のように来訪者が見て分かりやすい図柄や記号をデザインした表示灯を配置しておいても良い。さらに、表示灯を設ける代わりに、入口側操作盤５３の表示部５３３に籠ドア装置１５の開放時間が第２の開放時間に設定されたことを表示させても良いし、番号キー５３１や呼出ボタン５３５をランプ内蔵型のボタンにして、点灯あるいは明滅させるようにすることで籠ドア装置１５の開放時間が第２の開放時間に設定されたことを表示しても良い。
【００４７】
また、開放時間を居室側操作部５４から設定する場合、図３に示す居室側操作部５４の表示装置５４１が報知部２６を兼ねる。報知部２６となる表示装置５４１に文字や図柄を表示することによって、第２の開放時間が選択されたことを報知する。第２の開放時間に設定されたことを通話機５４３を通して音声ガイダンスや音で同時に報知してもよい。さらに、解錠ボタン５４２や、付加ボタン５４４にランプ内蔵型のボタンを採用し、これらを点灯または明滅させることで、第２の開放時間が設定されたことを報知するようにしてもよい。図３に示す付加ボタン５４４のように分かりやすい図柄のランプ機能のみを有した表示灯を報知部２６として配置しておいても良い。
【００４８】
報知部２６を入口側操作盤５３および居室側操作部５４の双方に設けておくことによって、入口側操作盤５３または居室側操作部５４のどちらから入力された場合でも、第２の開放時間が選択されたことを双方に報知させることも可能である。
【００４９】
なお、図２に示した入口側操作盤５３および図３に示した居室側操作部５４は、本発明の実施形態を説明する上での一例である。したがって、図２における番号キー５３１、カメラ５３２、表示部５３３、鍵挿入孔５３４、呼出ボタン５３５、キャンセルボタン５３６、付加ボタン５３７の配置、図３における表示装置５４１、解錠ボタン５４２、通話機５４３、付加ボタン５４４などの形状および配置は、同じ機能を有する限りどのようなものであっても良い。例えば、入口側操作盤５３の表示部５３３にタッチスクリーン機能を備えている場合、番号キー５３１、呼出ボタン５３５、キャンセルボタン５３６、付加ボタン５３７は、全て表示部５３３に表示されるものであっても良い。
【符号の説明】
【００５０】
１…エレベータ、１１…エレベータ制御装置、１３…乗籠、１５…籠ドア装置、１７Ａ…乗場呼びボタン、１７Ｂ…（車椅子利用者用に設けられている）乗場呼びボタン、２０…エレベータセキュリティシステム、２１…不登録制御部、２２…自動登録制御部、２３…開放時間判定部、２４…開放時間指示部、２５…行先階自動登録部、２６…報知部、５３…入口側操作盤、５４…居室側操作部、１００…建物、１０１…入口階、１０２…入口ドア装置、１０３…居室、５３３…表示部、Ｓ１…解錠信号、Ｓ２…付加信号。
【図１】
2010208707.tif 000003
【図２】
2010208707.tif 000004
【図３】
2010208707.tif 000005
【図４】
2010208707.tif 000006
【図５】
2010208707.tif 000007
【図６】
2010208707.tif 000008